【手続補正書】
【提出日】平成16年1月9日(2004.1.9)
【手続補正１】
【補正対象書類名】明細書
【補正対象項目名】特許請求の範囲
【補正方法】変更
【補正の内容】
【特許請求の範囲】
【請求項１】
異なる波長の光を発光しそれぞれ独立に制御可能な複数のカラー光源からなる光源部と、該光源部を駆動する光源駆動回路と、該光源部が発光する光を制御するシャッタ部と、該シャッタ部を制御するシャッタ部制御回路とを有する表示装置において、多色表示の可能な第１の表示モードと、表示する色数の限定された第２の表示モードを有する事を特徴とする表示装置。
【請求項２】
複数のカラー光源は赤、緑、青の３色のカラー光源からなり、第２の表示モードは２色或いは３色のカラー光源を同時に点灯させる事により表示する色数が限定されている事を特徴とする請求項１に記載の表示装置。
【請求項３】
第２の表示モードはモノクロ表示である事を特徴とする請求項１に記載の表示装置。
【請求項４】
特定のカラー光源を順次発光させ、該順次発光に対応してシャッタ部を制御する事により表示する多色表示の可能な第１の表示モードと、複数のカラー光源を同時発光させ、該同時発光に対応してシャッタ部を制御する事により表示する色数の限定された第２の表示モードを有する事を特徴とする請求項１に記載の表示装置。
【請求項５】
特定のカラー光源を順次発光させ、該順次発光に対応してシャッタ部を制御する事により表示する多色表示の可能な第１の表示モードと、特定のカラー光源を順次発光させ、該順次発光には同期せずにシャッタ部を制御する事により表示する色数の限定された第２の表示モードを有する事を特徴とする請求項１に記載の表示装置。
【請求項６】
第１の表示モードと第２の表示モードが切り替え可能である事を特徴とする請求項１に記載の表示装置。
【請求項７】
第１の表示モードと第２の表示モードが切り替え可能であり、環境温度、周辺光量等の環境検出機能を有し、検出情報によって第１の表示モードと第２の表示モードを切り替える事を特徴とする請求項６に記載の表示装置。
【請求項８】
シャッタ部は環境温度によって応答速度の異なる特性を有し、カラー光源の発光に対応させて制御する事が困難な応答速度の温度においては、温度検出機能による検出情報によって第１の表示モードから第２の表示モードに切り替える機能を有する事を特徴とする請求項７に記載の表示装置。
【請求項９】
シャッタ部は環境温度によって応答速度の異なる特性を有する液晶シャッタであり、該液晶シャッタをカラー光源の発光に対応させて制御する事が困難な応答速度の温度においては、温度検出機能による検出情報によって第１の表示モードから第２の表示モードに切り替える機能を有する事を特徴とする請求項７に記載の表示装置。
【請求項１０】
周辺光量を検出する機能を有し、一定光量より大きい場合には第１の表示モードから第２の表示モードに切り替える事を特徴とする請求項７に記載の表示装置。
【手続補正２】
【補正対象書類名】明細書
【補正対象項目名】００１４
【補正方法】変更
【補正の内容】
【００１４】
【課題を解決するための手段】
上記目的を達成するために本発明の第１の手段は、異なる波長の光を発光しそれぞれ独立に制御可能な複数のカラー光源からなる光源部と、該光源部を駆動する光源駆動回路と、該光源部が発光する光を制御するシャッタ部と、該シャッタ部を制御するシャッタ部制御回路とを有する表示装置において、多色表示の可能な第１の表示モードと、表示する色数の限定された第２の表示モードを有する事を特徴とする。
【手続補正３】
【補正対象書類名】明細書
【補正対象項目名】００１５
【補正方法】変更
【補正の内容】
【００１５】
上記目的を達成するために本発明の第２の手段は、本発明の第１の手段に於いて 複数のカラー光源は赤、緑、青の３色のカラー光源からなり、第２の表示モードは２色或いは３色のカラー光源を同時に点灯させる事により表示する色数が限定されている事を特徴とする。
上記目的を達成するために本発明の第３の手段は、本発明の第１の手段に於いて第２の表示モードはモノクロ表示である事を特徴とする。


【手続補正４】
【補正対象書類名】明細書
【補正対象項目名】００１６
【補正方法】変更
【補正の内容】
【００１６】
上記目的を達成するために本発明の第４の手段は、本発明の第１の手段に於いて特定のカラー光源を順次発光させ、該順次発光に対応してシャッタ部を制御する事により表示する多色表示の可能な第１の表示モードと、複数のカラー光源を同時発光させ、該同時発光に対応してシャッタ部を制御する事により表示する色数の限定された第２の表示モードを有する事を特徴とする。


【手続補正５】
【補正対象書類名】明細書
【補正対象項目名】００１７
【補正方法】変更
【補正の内容】
【００１７】
上記目的を達成するために本発明の第５の手段は、本発明の第１の手段に於いて特定のカラー光源を順次発光させ、該順次発光に対応してシャッタ部を制御する事により表示する多色表示の可能な第１の表示モードと、特定のカラー光源を順次発光させ、該順次発光
には同期せずにシャッタ部を制御する事により表示する色数の限定された第２の表示モードを有する事を特徴とする。


【手続補正６】
【補正対象書類名】明細書
【補正対象項目名】００１８
【補正方法】変更
【補正の内容】
【００１８】
上記目的を達成するために本発明の第６の手段は、本発明の第１の手段に於いて第１の表示モードと第２の表示モードが切り替え可能である事を特徴とする。
【手続補正７】
【補正対象書類名】明細書
【補正対象項目名】００１９
【補正方法】変更
【補正の内容】
【００１９】
上記目的を達成するために本発明の第７の手段は、本発明の第６の手段に於いて第１の表示モードと第２の表示モードが切り替え可能であり、環境温度、周辺光量等の環境検出機能を有し、検出情報によって第１の表示モードと第２の表示モードを切り替える事を特徴とする。
上記目的を達成するために本発明の第８の手段は、本発明の第７の手段に於いてシャッタ部は環境温度によって応答速度の異なる特性を有し、カラー光源の発光に対応させて制御する事が困難な応答速度の温度においては、温度検出機能による検出情報によって第１の表示モードから第２の表示モードに切り替える機能を有する事を特徴とする。
上記目的を達成するために本発明の第９の手段は、本発明の第７の手段に於いてシャッタ部は環境温度によって応答速度の異なる特性を有する液晶シャッタであり、該液晶シャッタをカラー光源の発光に対応させて制御する事が困難な応答速度の温度においては、温度検出機能による検出情報によって第１の表示モードから第２の表示モードに切り替える機能を有する事を特徴とする。
【手続補正８】
【補正対象書類名】明細書
【補正対象項目名】００２０
【補正方法】変更
【補正の内容】
【００２０】
上記目的を達成するために本発明の第１０の手段は、本発明の第７の手段に於いて周辺光量を検出する機能を有し、一定光量より大きい場合には第１の表示モードから第２の表示モードに切り替える事を特徴とする。
【手続補正９】
【補正対象書類名】明細書
【補正対象項目名】００５５
【補正方法】変更
【補正の内容】
【００５５】
なお，図２の実施例では赤，緑，青の３種の光源の数を同じにしたが，光源の発光強度が異なる場合には数を変える事は有効である。例えば，緑のＬＥＤの発光強度が他の青，
赤のＬＥＤの発光強度より弱い場合には緑，青，赤のＬＥＤの数を２：１：１等と変える事により色再現性，明るさを改善する事が出来る。
以上の説明の如く、本発明の表示装置は、異なる波長の光を発光しそれぞれ独立に制御可能な複数のカラー光源からなる光源部と、該光源部を駆動する光源駆動回路と、該光源部が発光する光を制御するシャッタ部と、該シャッタ部を制御するシャッタ部制御回路とを有する表示装置において、サブフィールド毎に特定のカラー光源を点灯させ、該サブフィールドに対応してシャッタ部を制御する事により表示する多色表示の可能な第１の表示モードと、サブフィールド内で複数のカラー光源を同時に点灯させ、該サブフィールドに対応してシャッタ部を制御する事により表示する色数の限定された第２の表示モードを有し、第１の表示モードと第２の表示モードが切り替え可能である事を特徴とする。
また、本発明の表示装置は、赤、緑、青の３色の光を発光しそれぞれ独立に制御可能な３つのカラー光源からなる光源部と、該光源部を駆動する光源駆動回路と、該光源部が発光する光を制御するシャッタ部と、該シャッタ部を制御するシャッタ部制御回路とを有する表示装置において、サブフィールド毎に特定のカラー光源を点灯させ、該サブフィールドに対応してシャッタ部を制御する事により赤、緑、青及びその混合色を含む多色表示の可能な第１の表示モードと、サブフィールド内で２色或いは３色のカラー光源を同時に点灯させ、該サブフィールドに対応してシャッタ部を制御する事により表示する色数の限定された第２の表示モードを有し、第１の表示モードと第２の表示モードが切り替え可能である事を特徴とする。
また、本発明の表示装置は、赤、緑、青の３色の光を発光しそれぞれ独立に制御可能な３つのカラー光源からなる光源部と、該光源部を駆動する光源駆動回路と、該光源部が発光する光を制御するシャッタ部と、該シャッタ部を制御するシャッタ部制御回路とを有する表示装置において、サブフィールド毎に特定のカラー光源を点灯させ、該サブフィールドに対応してシャッタ部を制御する事により赤、緑、青及びその混合色を含む多色表示の可能な第１の表示モードと、サブフィールド内で３色のカラー光源を同時に点灯させ、フィールドに対応してシャッタ部を制御する事によりモノクロ表示を行う第２の表示モードを有し、第１の表示モードと第２の表示モードが切り替え可能である事を特徴とする。
また、本発明の表示装置は、異なる波長の光を発光しそれぞれ独立に制御可能な複数のカラー光源からなる光源部と、該光源部を駆動する光源駆動回路と、該光源部が発光する光を制御するシャッタ部と、該シャッタ部を制御するシャッタ部制御回路とを有する表示装置において、サブフィールド毎に特定のカラー光源を点灯させ、該サブフィールドに対応してシャッタ部を制御する事により表示する多色表示の可能な第１の表示モードと、サブフィールド毎に特定のカラー光源を点灯させ、該サブフィールドに対応せずにシャッタ部を制御する事によりモノクロ表示する第２の表示モードを有し、第１の表示モードと第２の表示モードが切り替え可能である事を特徴とする。
また、本発明の表示装置は、異なる波長の光を発光しそれぞれ独立に制御可能な複数のカラー光源からなる光源部と、該光源部を駆動する光源駆動回路と、該光源部が発光する光を制御するシャッタ部と、該シャッタ部を制御するシャッタ部制御回路とを有する表示装置において、サブフィールド毎に特定のカラー光源を点灯させ、該サブフィールドに対応してシャッタ部を制御する事により表示する多色表示の可能な第１の表示モードと、第１に表示モードと比較して表示する色数の限定された第２の表示モードを有し、第１の表示モードと第２の表示モードが切り替え可能であり、環境温度、周辺光量等の環境検出機能を有し、検出情報によって第１の表示モードと第２の表示モードを切り替える事を特徴とする。
また、本発明の表示装置は、異なる波長の光を発光しそれぞれ独立に制御可能な複数のカラー光源からなる光源部と、該光源部を駆動する光源駆動回路と、該光源部が発光する光を制御するシャッタ部と、該シャッタ部を制御するシャッタ部制御回路とを有する表示装置において、サブフィールド毎に特定のカラー光源を点灯させ、該サブフィールドに対応してシャッタ部を制御する事により表示する多色表示の可能な第１の表示モードと、第１に表示モードと比較して表示する色数の限定された第２の表示モードを有し、第１の表示モードと第２の表示モードが切り替え可能であり、シャッタ部は環境温度によって応答速度の異なる特性を有し、カラー光源の発光に対応させて制御する事が困難な応答速度の温度においては、温度検出機能による検出情報によって第１の表示モードから第２の表示モードに切り替える機能を有する事を特徴とする。
また、本発明の表示装置は、異なる波長の光を発光しそれぞれ独立に制御可能な複数のカラー光源からなる光源部と、該光源部を駆動する光源駆動回路と、該光源部が発光する光を制御するシャッタ部と、該シャッタ部を制御するシャッタ部制御回路とを有する表示装置において、サブフィールド毎に特定のカラー光源を点灯させ、該サブフィールドに対応してシャッタ部を制御する事により表示する多色表示の可能な第１の表示モードと、第１に表示モードと比較して表示する色数の限定された第２の表示モードを有し、第１の表示モードと第２の表示モードが切り替え可能であり、環境温度等の環境検出機能を有し、シャッタ部は環境温度によって応答速度の異なる特性を有する液晶シャッタであり、該液晶シャッタをカラー光源の発光に対応させて制御する事が困難な応答速度の温度においては、温度検出機能による検出情報によって第１の表示モードから第２の表示モードに切り替える機能を有する事を特徴とする。
また、本発明の表示装置は、異なる波長の光を発光しそれぞれ独立に制御可能な複数のカラー光源からなる光源部と、該光源部を駆動する光源駆動回路と、該光源部が発光する光を制御するシャッタ部と、該シャッタ部を制御するシャッタ部制御回路とを有する表示装置において、サブフィールド毎に特定のカラー光源を点灯させ、該サブフィールドに対応してシャッタ部を制御する事により表示する多色表示の可能な第１の表示モードと、第１に表示モードと比較して表示する色数の限定された第２の表示モードを有し、第１の表示モードと第２の表示モードが切り替え可能であり、周辺光量を検出する機能を有し、一定光量より大きい場合には第１の表示モードから第２の表示モードに切り替える事を特徴とする。